(57)【要約】【課題】映像・音声を視聴している際の消費電力を低減した上で、視聴中において電子メールや留守録音声メッセージなどの情報を得る。【解決手段】テレビ放送の放送電波が受信され、映像および音声が表示部１３およびスピーカ２３で再生されると、無線部３への駆動電力の供給を停止する。放送の種別がステレオ放送に切り替わった場合には、ＣＭ放送に切り替わったとみなし、無線部３への駆動電力の供給を行なった上で、携帯電話機１宛ての電子メールおよび留守録音声メッセージのチェックを行なう。携帯電話機１宛ての電子メールがある場合には、これを無線部３で受信して、受信した旨を示すメッセージを表示部１３の画面上に表示する。また、携帯電話機１宛ての留守録メッセージがある場合には、これを再生するか否かを問うメッセージを表示部１３に表示する。【選択図】      図１
2005223819.tif 000002
【特許請求の範囲】
【請求項１】
外部との間で通信を行なう通信手段と、
前記通信手段を含む装置に駆動電力を供給する電源手段と、
映像および音声のうち少なくとも一方を含む情報を再生する再生手段と、
前記再生手段による情報の再生時に、前記電源手段から前記通信手段への駆動電力の供給を停止する制御手段と
を具備したことを特徴とする携帯通信端末装置。
【請求項２】
外部との間で通信を行なう通信手段と、
前記通信手段を含む装置に駆動電力を供給する電源手段と、
放送電波を受信する受信手段と、
前記受信手段が受信した放送電波に含まれる情報を再生する再生手段と、
前記再生手段による情報の再生時に、前記電源手段から前記通信手段への駆動電力の供給を停止する制御手段と
を具備したことを特徴とする携帯通信端末装置。
【請求項３】
前記放送電波に含まれる情報の種別を判別する判別手段をさらに具備し、
前記制御手段は、
前記判別手段が、前記情報の種別が所定の種別であると判別した際に、前記電源手段から前記通信手段への駆動電力の供給を行なって、外部からの情報がある場合にこれを前記通信手段により受信させる
ことを特徴とする請求項２記載の携帯通信端末装置。
【請求項４】
前記判別手段が、前記情報の種別が所定の種別であると判別した際の、前記制御手段の動作の有無を設定する設定手段をさらに具備したことを特徴とする請求項３記載の携帯通信端末装置。
【請求項５】
外部との間で通信を行なう通信手段と、
前記通信手段を含む装置に駆動電力を供給する電源手段と、
映像および音声のうち少なくとも一方の情報を記憶する記憶手段と、
前記記憶手段に記憶された情報を再生する再生手段と、
前記再生手段による情報の再生時に、前記電源手段から前記通信手段への駆動電力の供給を停止する制御手段と
を具備したことを特徴とする携帯通信端末装置。
【請求項６】
前記再生手段による情報の再生時間を計時する計時手段をさらに具備し、
前記制御手段は、
前記計時手段で計時された時間が所定の時間となった際に、前記電源手段から前記通信手段への駆動電力の供給を行なって、外部からの情報がある場合にこれを前記通信手段により受信させる
ことを特徴とする請求項２または請求項５記載の携帯通信端末装置。
【請求項７】
前記通信手段による情報の受信時に、この受信した旨を報知する報知手段をさらに具備したことを特徴とする請求項３または請求項６記載の携帯通信端末装置。
【請求項８】
前記所定の時間を設定する時間設定手段をさらに具備したことを特徴とする請求項６記載の携帯通信端末装置。
【請求項９】
前記計時手段で計時された時間が前記所定の時間となった際の、前記制御手段の動作の有無を設定する手段をさらに具備したことを特徴とする請求項６または請求項８記載の携帯通信端末装置。
【請求項１０】
外部との間で通信を行なう通信手段と、前記通信手段を含む装置に駆動電力を供給する電源手段とを備えた携帯通信端末装置の通信制御を行なう通信制御方法であって、
映像および音声のうち少なくとも一方を含む情報を再生する再生ステップと、
前記再生ステップによる情報の再生時に、前記電源手段から前記通信手段への駆動電力の供給を停止する制御ステップと
を有することを特徴とする通信制御方法。
【請求項１１】
外部との間で通信を行なう通信手段と、前記通信手段を含む装置に駆動電力を供給する電源手段とを備えた携帯通信端末装置の通信制御を行なう通信制御方法であって、
放送電波を受信する受信ステップと、
前記受信ステップにより受信した放送電波に含まれる情報を再生する再生ステップと、
前記再生ステップによる情報の再生時に、前記電源手段から前記通信手段への駆動電力の供給を停止する制御ステップと
を有することを特徴とする通信制御方法。
【請求項１２】
外部との間で通信を行なう通信手段と、前記通信手段を含む装置に駆動電力を供給する電源手段と、映像および音声の少なくとも一方の情報を記憶する記憶手段とを備えた携帯通信端末装置の通信制御を行なう通信制御方法であって、
前記記憶手段に記憶された情報を再生する再生ステップと、
前記再生ステップによる情報の再生時に、前記電源手段から前記通信手段への駆動電力の供給を停止する制御ステップと
を有することを特徴とする通信制御方法。
【請求項１３】
装置に駆動電力を供給する電源手段を備えたコンピュータを制御するための通信制御処理プログラムであって、
前記コンピュータを、
外部との間で通信を行なう通信手段、
映像および音声のうち少なくとも一方を含む情報を再生する再生手段、
前記再生手段による情報の再生時に、前記電源手段から前記通信手段への駆動電力の供給を停止する制御手段
として機能させるようにした、コンピュータ読み取り可能な通信制御処理プログラム。
【請求項１４】
装置に駆動電力を供給する電源手段を備えたコンピュータを制御するための通信制御処理プログラムであって、
前記コンピュータを、
外部との間で通信を行なう通信手段、
放送電波を受信する受信手段、
前記受信手段が受信した放送電波に含まれる情報を再生する再生手段、
前記再生手段による情報の再生時に、前記電源手段から前記通信手段への駆動電力の供給を停止する制御手段
として機能させるようにした、コンピュータ読み取り可能な通信制御処理プログラム。
【請求項１５】
装置に駆動電力を供給する電源手段を備えたコンピュータを制御するための通信制御処理プログラムであって、
前記コンピュータを、
外部との間で通信を行なう通信手段、
映像および音声の少なくとも一方の情報を記憶する記憶手段、
前記記憶手段に記憶された情報を再生する再生手段、
前記再生手段による情報の再生時に、前記電源手段から前記通信手段への駆動電力の供給を停止する制御手段
として機能させるようにした、コンピュータ読み取り可能な通信制御処理プログラム。
【発明の詳細な説明】
【技術分野】
【０００１】
本発明は、例えば携帯電話機などの携帯通信端末装置、通信制御方法および通信制御処理プログラムに関する。
【背景技術】
【０００２】
従来、例えば特許文献１に開示されたような通話およびメール送受信機能を備えた携帯通信端末装置において、テレビ放送の受信機能をさらに備えた機器がある。このような機器では、通話およびメールの送受信を行なうための無線部とは別に、テレビ放送電波を受信するためのアンテナとＴＶ受信回路を備えている。キー操作などでテレビ放送の受信機能を有効にした上で、電話番号の入力などに利用するキー入力部で所望のチャンネルを入力すれば、テレビ放送の映像がモニタ表示されるとともに、音声がスピーカで再生される。また、携帯電話機内部のメモリに動画データファイルを予め記憶しておき、これを読み出してモニタおよびスピーカで再生する機能を備えるものもある。
【特許文献１】特開平１１−２５２６５５号公報
【発明の開示】
【発明が解決しようとする課題】
【０００３】
前述したような装置では、テレビ放送の視聴中または動画データファイルの再生中でも電話の着信、電子メールの受信などの待ち受け処理ができるように、無線部に駆動電力を供給している。しかし、テレビ放送を受信するためには、テレビ用のアンテナ、ＴＶ受信回路に駆動電力を供給する必要があり、また、動画データファイルの再生を行なうためには、動画データファイル再生用の回路に駆動電力を供給する必要がある。よって、待ち受け処理に要する駆動電力と合わせて多くの電力を消費することになり、映像・音声の視聴時における装置の映像・音声再生可能時間および待ち受け可能時間がともに少なくなっていた。
【０００４】
そこで、本発明の目的は、かかる問題を解決し、映像・音声を視聴している際の消費電力を低減した上で、視聴中における電子メールや留守録音声メッセージの受信が可能になる携帯通信端末装置、通信制御方法、通信制御処理プログラムを提供することにある。
【課題を解決するための手段】
【０００５】
すなわち、本発明に係わる携帯通信端末装置は、外部との間で通信を行なう通信手段と、前記通信手段を含む装置に駆動電力を供給する電源手段と、映像および音声のうち少なくとも一方を含む情報を再生する再生手段と、前記再生手段による情報の再生時に、前記電源手段から前記通信手段への駆動電力の供給を停止する制御手段とを具備したことを特徴とする。
【発明の効果】
【０００６】
本発明に係わる携帯通信端末装置では、再生手段による情報の再生時に、電源手段から通信手段への駆動電力の供給を停止するので、映像・音声の再生中における装置の消費電力を低減させることができる。
【発明を実施するための最良の形態】
【０００７】
以下図面により本発明の実施形態について説明する。  
図１は、本発明の実施形態にしたがった携帯電話機１の構成を示すブロック図である。  
携帯電話機１は、該携帯電話機１全体の制御を司る制御部（マイクロプロセッサ）２に、無線通信を行なうための無線部３、携帯電話機１の装置全体に駆動電力の供給を行なう電源部４、テレビ放送、例えば地上波アナログ放送の電波を受信するＴＶ受信回路５、キー入力部６、表示駆動部７、ＲＯＭ８、ＲＡＭ９、送話器であるマイク１０、受話器であるレシーバ１１、ＬＥＤ１２が接続される。表示駆動部７には表示部１３が接続され、制御部２には、情報の書換えが可能なメモリカード１４が着脱自在に接続される。
【０００８】
携帯電話機１は、通話機能と、前述したテレビ放送の受信機能の他に、電子メールの送受信機能と、予めメモリカード１４に記憶された動画データファイルの再生機能を有している。
【０００９】
無線部３は、制御部２からの制御にしたがって通話用の音声信号の発信、受信および電子メールの送受信を行なう。無線部３では、外部からの無線周波信号がアンテナ３１で受信されたのち、デュプレクサ３２を介して受信部３３に入力される。受信部３３では、受信された無線信号がシンセサイザ３４から発振された局部発振信号とミキシングされて、受信中間周波信号に周波数変換される。シンセサイザ３４から発振される局部発振周波数は制御部２より指示される。
【００１０】
受信部３３から出力された受信中間周波信号は制御部２で復調され、この復調された信号が通話用の音声信号であった際には、制御部２はこれをアナログ音声信号に変換してレシーバ１１に出力する。また、制御部２が復調した信号が電子メールのデータを示す信号であった場合には、制御部２はこれをメモリカード１４に記憶する。
【００１１】
一方、マイク１０に入力された送話用の音声信号は制御部２でディジタル信号に変換されたのち変調され、この変調された搬送波信号が無線部３の送信部３５に入力される。送信部３５では、変調された搬送波信号がシンセサイザ３４から発振された局部発振信号とミキシングされることにより、制御部２で指定された無線周波数に変換されて所定の送信電力レベルに増幅される。この送信部３５から出力された無線周波信号はデュプレクサ３２を介してアンテナ３１から出力される。
【００１２】
また、携帯電話機１から送信する、例えば電子メールなどのディジタルデータは制御部２で送信部３５に入力され、デュプレクサ３２およびアンテナ３１を介して無線周波信号として出力される。
【００１３】
電源部４では、電池４１から駆動電力を得て充電回路４２に充電し、この充電された駆動電力を電源制御部４３で無線部３を含む装置全体に供給する。また、テレビ放送の音声、および動画データファイルが音声付のデータファイルであった場合の音声を再生するためのＤ／Ａコンバータ２１、アンプ２２、スピーカ２３が制御部２に対し直列に接続される。また、制御部２はアンプ２２に接続され、該アンプ２２を制御する。
【００１４】
ＴＶ受信回路５は、アンテナ５１で受信したテレビ放送電波に含まれる信号から予め選局されたチャンネルに対応する信号を選択し、この選択した信号を映像信号と音声信号に分離して、映像信号を例えばＮＴＳＣ方式の信号にエンコードする一方、音声信号を検波して制御部２に出力する。選局および音量調節の制御は、制御部２がＴＶ受信回路５およびアンプ２２を制御することで行なう。
【００１５】
ＴＶ受信回路５でＮＴＳＣ方式にエンコードされた映像信号は、表示駆動部７を介して表示部１３に出力表示される。また、制御部２に出力された音声信号はスピーカ２３で拡声放音される。
【００１６】
キー入力部６には複数のキーや押しボタンスイッチ等が設けられ、何れかのキーまたはスイッチが操作された際に、対応する制御信号を制御部２に出力する。表示部１３は、制御部２から出力される文字データ、画像データに応じて、文字や画像を表示する。
【００１７】
ＲＯＭ８には、携帯電話機１の各種制御動作に係るシステムプログラムおよび表示部１３に表示させる操作メニュー用の画像データ等が記憶される。ＲＡＭ９は、制御部２で制御処理を実行する際にワークエリアとして用いられる。メールサーバは携帯電話機１宛ての電子メールを管理する。メッセージセンタは、例えば携帯電話機１の電源がオフになっている等により電話の着信がなされなかった場合の相手方からの留守録音声メッセージを管理する。
【００１８】
また、メモリカード１４に動画データファイルが記憶されており、キー入力部６で動画データファイルを再生するための操作がなされた場合には、制御部２は、動画データファイルをメモリカード１４から読み出してデコード処理を行ない、このデコードした映像情報が表示部１３で再生されるように、また、デコードしたデータに音声情報が含まれる場合にはこれがスピーカ２３で拡声放音されるように制御する。
【００１９】
次に、図１に示した携帯電話機１による通信制御処理について説明する。通信制御処理とは、テレビ放送の視聴時、またはメモリカード１４に記憶された動画データファイルの再生時に、無線部３への電源供給のオンオフを制御部２で制御する処理である。
【００２０】
図２は、テレビ放送視聴時における通信制御処理の内容を示すフローチャートであり、図３は、動画データファイル再生時における通信制御処理の内容を示すフローチャートである。
【００２１】
まず、テレビ放送視聴時における通信制御処理について説明する。キー入力部６で所定の操作を行なって、制御部２がＴＶ受信回路５を動作させるように指示すると、アンテナ５１を介してテレビ放送電波が受信される。この受信した電波に含まれる所定のチャンネルの映像および音声が表示部１３およびスピーカ２３で再生される（ステップＳ１）と、制御部２は、電源部４の電源制御部４３が無線部３への駆動電力の供給を停止するように制御する（ステップＳ２）。
【００２２】
これによりテレビ放送の視聴時において、無線部３の機能がオフ状態となり、携帯電話機１の消費電力を低減させることが出来る。加えて、電話の着信がなされなくなるので、電話の着信にともなって着信音をスピーカ２３が再生するように設定されている際でも、テレビ視聴中における着信音の再生がなされないので、テレビ視聴に支障を与えない。
【００２３】
ＴＶ受信回路５が受信した放送電波には、放送の種別がステレオ放送であるかモノラル放送であるかを示す放送種別情報が含まれており、制御部２は、ＴＶ受信回路５で受信した放送電波に含まれる放送種別情報がステレオ放送を示す情報であるか否かを判別する。この判別の結果、放送種別情報で示される放送の種別がステレオ放送であった場合（ステップＳ３のＹＥＳ）には、制御部２は、放送の種別がＣＭ（コマーシャル）に切り替わったとみなし、電源部４の電源制御部４３が無線部３への駆動電力の供給を行なうように制御する（ステップＳ４）。これにより無線部３の機能がオン状態となる。
【００２４】
なお、放送の種別がステレオ放送であるかモノラル放送であるかを判別する代わりに、放送の種別がＣＭであるか、ＣＭ以外の種別の放送であるかを示すフラグ情報を放送電波に含ませた上で、この放送電波に含まれるフラグ情報で示される放送種別を制御部２が判別し、この判別の結果、放送種別がＣＭ放送であった場合にステップＳ４の処理を行なうようにしてもよい。
【００２５】
次に制御部２は、無線部３がメールサーバとの通信を行なうように制御し、メールサーバにおいて、携帯電話機１宛ての電子メールが保存されているか否かをチェックする（ステップＳ５）。
【００２６】
そして、制御部２は、無線部３がメッセージセンタとの通信を行なうように制御し、メッセージセンタにおいて、携帯電話機１宛ての留守録音声メッセージが保存されているか否かをチェックする（ステップＳ６）。
【００２７】
ステップＳ５によるチェックの結果、携帯電話機１宛ての電子メールがメールサーバに保存されている場合には、これを無線部３で受信してメモリカード１４に記憶するように制御部２で制御する（ステップＳ７→Ｓ８）。電子メールを受信した際に、制御部２は、電子メールを受信した旨を示すメッセージを含んだウインドウＷ１を表示部１３の映像表示画面Ｇ１上に表示する（図４参照）ように制御する。
【００２８】
ステップＳ６によるチェックの結果、携帯電話機１宛ての留守録音声メッセージがメッセージセンタに保存されていることを確認した場合、つまり、留守録メッセージが保存されている旨を示す情報がメッセージセンタから送信されて、これを無線部３で受信した場合（ステップＳ９のＹＥＳ）には、制御部２は、留守録メッセージの再生をユーザに問うためのメッセージを含んだウインドウＷ２表示部１３の画面Ｇ１上に表示する（図５参照）ように制御する。
【００２９】
図５に示した表示画面において、キー入力部６の操作に従ってウインドウＷ２内のＹＥＳアイコン６１が選択される（ステップＳ１０のＹＥＳ）と、ウインドウＷ２の表示を終了して、メッセージセンタに保存されている留守録メッセージのデータを無線部３で受信してメモリカード１４に記憶させた上で、この留守録音声メッセージがレシーバ１１で再生されるように制御する（ステップＳ１１）。また、キー入力部６の操作に従ってＮＯアイコン６２が選択される（ステップＳ１０のＮＯ）と、留守録音声メッセージの受信および再生を行なわずにウインドウＷ２の表示を終了する。
【００３０】
なお、制御部２では、ステップＳ９の処理で「ＹＥＳ」と判別された際に、前述した、留守録メッセージが保存されている旨を示す情報の代わりに、メッセージセンタに保存されている留守録メッセージのデータそのものを無線部３で受信してメモリカード１４に記憶させた上で、前述したウインドウＷ２を表示部１３の画面Ｇ１上に表示するように制御してもよい。
【００３１】
なお、図５に示した表示画面上でＹＥＳアイコン６１が選択されて、留守録音声メッセージがレシーバ１１により再生されるように制御された場合には、スピーカ２３が再生する音声である、動画データファイル中の音声の音量を低減またはゼロにするように制御部２がアンプ２２を制御してもよい。これにより動画データファイルの再生中でもレシーバ１１からの留守録音声メッセージを明瞭に聞き取ることができる。
【００３２】
ステップＳ９によるチェックの結果、「ＮＯ」と判別された場合、ステップＳ１０の処理で「ＮＯ」と判別された場合、またはステップＳ１１の処理後には、制御部２は、ステップＳ２の処理と同様に無線部３への駆動電力の供給を停止するように制御する（ステップＳ１２）。
【００３３】
そして、前述した放送種別信号の判別の結果、放送の種別が通常放送、つまりモノラル放送に切り替わった後で（ステップＳ１３）、再びＣＭ放送（ステレオ放送）に切り替わったと判別された場合（ステップＳ１４のＹＥＳ）には、ステップＳ４以降の処理を再度行なう。
【００３４】
一方、ステップＳ１４の処理で「ＮＯ」と判別され、キー入力部６の操作に従って、ＴＶ受信回路５によるテレビ放送電波の受信をオフにする制御がなされた場合（ステップＳ１５）には、制御部２はステップＳ４の処理と同様に無線部３への駆動電力の供給を開始にするように制御する（ステップＳ１６）。
【００３５】
次に、動画データファイル再生時における通信制御処理について説明する。キー入力部６により所定の操作を行なって、メモリカード１４に記憶される動画データファイル中の映像および音声が表示部１３およびスピーカ２３で再生される（ステップＡ１）と、制御部２は、電源部４の電源制御部４３が無線部３への駆動電力の供給を停止するように制御する（ステップＡ２）。
【００３６】
これにより無線部３の機能がオフ状態となり、動画再生時における携帯電話機１の消費電力を低減させることが出来る。加えて、電話の着信にともなって着信音をスピーカ２３が再生するように設定されている際でも、動画再生中における着信音の再生がなされないので、動画の再生に支障を与えない。
【００３７】
制御部２は、動画の再生が開始されてから経過した時間を計時しており、この経過時間が所定時間（例えば１５分）に達した場合（ステップＡ３のＹＥＳ）には、制御部２は、電源部４の電源制御部４３が無線部３への駆動電力の供給を行なうように制御する（ステップＡ４）。これにより無線部３の機能がオン状態となる。
【００３８】
次に、制御部２は、前述したステップＳ５，Ｓ６の処理と同様に、携帯電話機１宛ての電子メールおよび留守録音声メッセージのチェックを行なう（ステップＡ５，Ａ６）。以降、前述したステップＳ７乃至Ｓ１２と同様の処理を行ない（ステップＡ７〜Ａ１２）、ステップＡ１の処理による動画再生後の経過時間が、前述した所定時間の整数倍となった場合（ステップＡ１３のＹＥＳ）には、ステップＡ４以降の処理を再度行なう。
【００３９】
ステップＡ１３の処理で「ＮＯ」と判別され、キー入力部６の操作に従って、動画データファイルの再生を終了する制御がなされた場合（ステップＡ１４）には、制御部２はステップＡ４の処理と同様に無線部３への駆動電力の供給を開始するように制御する（ステップＡ１５）。
【００４０】
以上のように、テレビ視聴を行なっているとき、または、予め保存された動画データファイルの再生時に無線部３への駆動電力の供給を停止することで、携帯電話機１の消費電力を低減させることができ、携帯電話機１の動作可能時間である、テレビ視聴、動画データファイル再生が可能な時間、および待ち受け可能な時間を増加させることができる。加えて、テレビ視聴時にＣＭ放送に移行した際、または、動画データファイル再生時において所定時間が経過した際に、自動的に無線部３に駆動電力を供給した上で、メール、留守録音声メッセージのチェックを行なうようにしたので、テレビ視聴時または動画データファイル再生時における消費電力を低減させた上で、メール、留守録音声メッセージの必要最低限のチェックを行なうことができる。
【００４１】
また、前述のように、テレビ視聴時のＣＭ放送への移行、または、動画データファイル再生時の所定時間経過時にメール、留守録音声メッセージのチェックを行なうか否かは、キー入力部６による所定の操作により、設定用の画面Ｇ２（図６参照）を表示部１３に表示させ、この画面にしたがって、キー入力部６による操作を行なって、メールチェック用のカーソル、留守録音声メッセージチェック用のカーソルを“ＯＮ”または“ＯＦＦ”に設定してＯＫアイコン６３を選択することで、個別に設定することができる。
【００４２】
また、動画データファイルの再生時の電子メール、留守録音声メッセージのチェック時間間隔は、キー入力部６による所定の操作により、設定用の画面Ｇ３（図７参照）を表示部１３に表示させ、この画面にしたがって、キー入力部６で時間間隔に対応する数値を入力してＯＫアイコン６４を選択することで設定することができる。この画面Ｇ３上で、時間間隔を例えば１５分と設定し、かつ、設定用画面Ｇ２上の留守録音声メッセージチェック用のカーソルを“ＯＮ”に設定した場合には、ステップＡ１による動画再生開始後１５分ごとに電子メール、留守録音声メッセージのチェックがなされる。一方、設定用画面Ｇ３上で時間間隔に対応する値が入力されていても、設定用画面Ｇ２上の留守録音声メッセージチェック用のカーソルを“ＯＦＦ”に設定した場合には、動画再生開始時から、設定用画面Ｇ３上で設定された時間が経過しても留守録音声メッセージのチェックはなされない。
【００４３】
さらに、設定用画面Ｇ２、Ｇ３による設定内容にしたがったチェック項目およびチェック時間の間隔を示すメッセージを含んだウインドウＷ３を、前述したステップＡ１による動画再生開始時から例えば数秒間の間、図８に示すように表示部１３の画面Ｇ１上に表示するようにしてもよい。
【００４４】
前記実施の形態では、テレビ視聴時における電子メール、留守録音声メッセージのチェックは放送の種別がＣＭに移行した際に行なったが、これに限らず、テレビ視聴開始時から所定時間が経過するごとにチェックを行なうようにしてもよい。これにより、ＣＭ放送がなされないチャンネルの放送を視聴している際であっても電子メール、留守録音声メッセージのチェックを行なうことができる。前記実施の形態では、ＴＶ受信回路５によりテレビ放送の電波を受信したが、これに限らず、例えばラジオ放送の電波を受信する形態としてもよい。また、前述したメモリカード１４に記憶して再生するデータは音声付きの動画データファイルであったが、これに限らず、例えば音声のみのデータファイルであってもよい。
【００４５】
なお、前記実施の形態は、本発明を携帯電話機１に適用した場合について説明したものであるが、これに限らず、通話機能およびディジタルデータの送受信機能のうち少なくとも一方の機能を備え、かつ、放送の受信機能および動画・音声データファイルの再生機能のうち少なくとも一方の機能を備えた機器であれば、例えばＰＤＡ（Ｐｅｒｓｏｎａｌ  Ｄｉｇｉｔａｌ  Ａｓｓｉｓｔａｎｔ：個人向け携帯情報端末）等にも本発明を適用することが可能である。
【００４６】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４７】
【図１】本発明の実施形態にしたがった携帯電話機の構成を示すブロック図。
【図２】テレビ放送視聴時における通信制御処理の内容を示すフローチャート。
【図３】動画データファイル再生時における通信制御処理の内容を示すフローチャート。
【図４】電子メール受信時における表示部の表示画面の一例を示す図。
【図５】留守録音声メッセージ受信時における表示部の表示画面の一例を示す図。
【図６】電子メールおよび留守録音声メッセージのチェックの有無に関する設定用画面の一例を示す図。
【図７】留守録音声メッセージのチェック時間間隔に関する設定用画面の一例を示す図。
【図８】動画データファイル再生開始時の表示画面の一例を示す図。
【符号の説明】
【００４８】
１…携帯電話機、２…制御部、３…無線部、４…電源部、５…ＴＶ受信回路、６…キー入力部、７…表示駆動部、８…ＲＯＭ、９…ＲＡＭ、１０…マイク、１１…レシーバ、１２…ＬＥＤ、１３…表示部、１４…メモリカード、２１…Ｄ／Ａコンバータ、２２…アンプ、２３…スピーカ、３１…アンテナ、３２…デュプレクサ、３３…受信部、３４…シンセサイザ、３５…送信部、４１…電池、４２…充電回路、４３…電源制御部、５１…アンテナ。
【図１】
2005223819.tif 000003
【図２】
2005223819.tif 000004
【図３】
2005223819.tif 000005
【図４】
2005223819.tif 000006
【図５】
2005223819.tif 000007
【図６】
2005223819.tif 000008
【図７】
2005223819.tif 000009
【図８】
2005223819.tif 000010